(57)【要約】【課題】路線バスを停車すべきバス停留所を的確に表示することができなかった。【解決手段】（１）路線バスを利用するバス利用者により携帯される、当該バス利用者の乗降車履歴データを記憶する不揮発性メモリを有するカードと、（２）前記路線バスに設けられており、前記カードの不揮発性メモリから、前記バス利用者が過去に降車したバス停留所を示す降車バス停留所情報を読み出す不揮発性メモリリーダを有する乗降車管理装置と、（３）（３ａ）前記路線バスに設けられており、前記降車バス停留所情報に基づき、前記バス利用者が降車する可能性が高いバス停留所を判断する判断部と、（３ｂ）前記路線バスを、前記バス利用者が降車する可能性が高いバス停留所で停車させるべき旨を当該路線バスの運転手に通知する通知部を有する停車制御装置と、を含む。【選択図】図１
2009176089.tif 000002
【特許請求の範囲】
【請求項１】
（１）路線バスを利用するバス利用者により携帯される、当該バス利用者の乗降車履歴データを記憶する不揮発性メモリを有するカードと、
（２）前記路線バスに設けられており、前記カードの不揮発性メモリから、前記バス利用者が過去に降車したバス停留所を示す降車バス停留所情報を読み出す不揮発性メモリリーダを有する乗降車管理装置と、
（３）（３ａ）前記路線バスに設けられており、前記降車バス停留所情報に基づき、前記バス利用者が降車する可能性が高いバス停留所を判断する判断部と、
（３ｂ）前記路線バスを、前記バス利用者が降車する可能性が高いバス停留所で停車させるべき旨を当該路線バスの運転手に通知する通知部とを有する停車制御装置と、を含むことを特徴とするバス停車システム。
【請求項２】
前記不揮発性メモリは、ＦｅＲＡＭであることを特徴とする請求項１記載のバス停車システム。
【発明の詳細な説明】
【技術分野】
【０００１】
本発明は、路線バスを停車させるバス停車システムに関する。
【背景技術】
【０００２】
従来、下記の特許文献１に記載された「路線バスの降車停留所を示す情報を表示する路線バス情報表示装置」では、定期券から、乗客が降車する降車停留所を示す情報を読み出し、当該情報に基づき、路線バスを停車させるべきバス停留所を表示する。
【０００３】
【特許文献１】特開平９−８１８０２号公報
【発明の開示】
【発明が解決しようとする課題】
【０００４】
しかしながら、上記した従来の路線バス情報表示装置では、前記定期券には、前記乗客が降車する一つの降車停留所（例えば、当該乗客の自宅から最も近い最寄りの駅）が予め設定されているだけであることから、例えば、前記乗客が、前記降車停留所の前に位置する停留所で降車しようとするとき、及び、定期券を購入していない乗客が乗車しているときには、前記路線バスを停車させるべきバス停留所を的確に表示することができないという問題があった。
【課題を解決するための手段】
【０００５】
本発明は、上記した課題を解決すべく、以下の適用例により実現される。
【０００６】
［適用例１］
適用例１のバス停車システムは、
（１）路線バスを利用するバス利用者により携帯される、当該バス利用者の乗降車履歴データを記憶する不揮発性メモリを有するカードと、
（２）前記路線バスに設けられており、前記カードの不揮発性メモリから、前記バス利用者が過去に降車したバス停留所を示す降車バス停留所情報を読み出す不揮発性メモリリーダを有する乗降車管理装置と、
（３）（３ａ）前記路線バスに設けられており、前記降車バス停留所情報に基づき、前記バス利用者が降車する可能性が高いバス停留所を判断する判断部と、
（３ｂ）前記路線バスを、前記バス利用者が降車する可能性が高いバス停留所で停車させるべき旨を当該路線バスの運転手に通知する通知部とを有する停車制御装置と、を含む。
【０００７】
適用例１のバス停車システムによれば、前記停車制御装置が、前記バス利用者の前記カードの不揮発性メモリから読み出された前記降車バス停留所情報に基づき判断された、前記バス利用者が降車する可能性が高いバス停留所を、前記路線バスの運転手に通知することから、前記バス利用者が定期券を購入している者であるか否かに拘わらず、前記路線バスの運転手は、前記路線バスを停車させるべきバス停留所を的確に知得することが可能となる。
【０００８】
［適用例２］
適用例２のバス停車システムは、適用例１のバス停車システムであって、
前記不揮発性メモリは、ＦｅＲＡＭである。
【発明を実施するための最良の形態】
【０００９】
実施例のバス停車システムについて図面を参照して説明する。
【００１０】
〈構成〉
図１は、実施例のバス停車システムの構成を示す。実施例のバス停車システムは、図１に示されるように、カードＣＤと、乗降車管理装置Ｍと、停車制御装置Ｃとを含む。
【００１１】
カードＣＤは、路線バスＢ（停留所「新宿駅」を出発し、バス停留所「新宿３丁目」、「四谷３丁目」、「信濃町駅」を経由する。）を利用するバス利用者に携帯され、当該バス利用者の乗降車履歴データＤＴを記憶するための不揮発性メモリＦ（例えば、ＦｅＲＡＭ、ＥＥＰＲＯＭ）を有する。図２は、実施例の乗降車履歴データを示す。乗降車履歴データＤＴは、図２に示されるように、路線バスＢに乗車した年月日、乗車したバス停留所、降車したバス停留所を示す情報からなる。乗降車履歴データＤＴとして、例えば、前記バス利用者が、「Ｙ１年Ｍ１月Ｄ１日」に、「新宿駅」で乗車し「新宿３丁目」で降車した旨が記憶されており、また、「Ｙ４年Ｍ４月Ｄ４日」に、「新宿駅」で乗車し「四谷３丁目」で降車した旨が記憶されている。
【００１２】
乗降車管理装置Ｍは、図１に示されるように、路線バスＢ内における、乗降車用ドアの近くに設けられており、不揮発性メモリリーダ／ライタＦＲＷと、制御部ＣＮＴと、通信部ＣＯＭとを有する。
【００１３】
不揮発性メモリリーダ／ライタＦＲＷは、前記バス利用者が前記路線バスＢに乗車するときには、前記カードＣＤ内の不揮発性メモリＦに、当該乗車した年月日、乗降車したバス停留所を示す情報を書き込み、また、不揮発性メモリＦから、過去に降車したバス停留所を示す情報（『降車バス停留所情報』）を読み出す。
【００１４】
不揮発性メモリリーダ／ライタＦＲＷは、例えば、図２に示されるように、バス利用者が、「Ｙ６年Ｍ６月Ｄ６日」に「新宿駅」で乗車したとき、前記不揮発性メモリＦに、当該旨を示す情報を書き込み、同時に、「Ｙ６年Ｍ６月Ｄ６日」以前の降車について、「Ｙ１年Ｍ１月Ｄ１日」に「新宿３丁目」で降車した旨、「Ｙ２年Ｍ２月Ｄ２日」に「新宿３丁目」で降車した旨、．．．、「Ｙ５年Ｍ５月Ｄ５日」に「新宿３丁目」で降車した旨を読み出す。
【００１５】
不揮発性メモリリーダ／ライタＦＲＷは、他方で、前記バス利用者が前記路線バスＢから降車するときには、前記カードＣＤ内の不揮発性メモリＦに、当該降車したバス停留所を示す情報を書き込み、例えば、図２に示されるように、「Ｙ６年Ｍ６月Ｄ６日」に「信濃町駅」で降車したとき、前記不揮発性メモリＦに、当該旨を示す情報を書き込む。
【００１６】
制御部ＣＮＴは、『判断部』と機能すべく、例えば、ＣＰＵからなり、前記不揮発性メモリＦから読み出された、前記バス利用者が過去に降車したバス停留所を示す降車バス停留所情報に基づき、当該バス利用者が降車する可能性が高いバス停留所を判断する。制御部ＣＮＴは、例えば、前記バス利用者が「Ｙ７年Ｍ７月Ｄ７日」に乗車したとき、「Ｙ１年Ｍ１月Ｄ１日」に降車したバス停留所「新宿３丁目」、「Ｙ２年Ｍ２月Ｄ２日」に降車したバス停留所「新宿３丁目」、．．．、「Ｙ６年Ｍ６月Ｄ６日」に降車したバス停留所「信濃町駅」を示す降車バス停留所情報から、バス利用者が、今回、バス停留所「新宿３丁目」で降車する確率が高いと推定する。
【００１７】
通信部ＣＯＭは、例えば、有線通信機能又は無線通信機能を有し、停車制御装置Ｃとの間で、バス利用者の降車に関する情報をやりとりする。通信部ＣＯＭは、具体的には、上記したように、バス利用者が、「Ｙ７年Ｍ７月Ｄ７日」に路線バスＢに乗車したとき、当該バス利用者が、バス停留所「新宿３丁目」で降車する可能性が高い旨を停車制御装置Ｃ内の通信部ＣＭに送信する。
【００１８】
停車制御装置Ｃは、図１に示されるように、路線バスＢ内における、当該路線バスＢの運転手の席の近くに設けられており、通信部ＣＭと、制御部ＣＴと、表示部ＤＰとを有する。
【００１９】
通信部ＣＭは、乗降車管理装置Ｍ内の通信部ＣＯＭと同様に、有線通信機能又は無線通信機能を有し、前記通信部ＣＯＭから、前記バス利用者が降車する可能性が高いバス停留所を示す情報、例えば、バス停留所「新宿３丁目」を示す情報を受信する。
【００２０】
制御部ＣＴは、前記バス利用者が降車する可能性が高いバス停留所を示す情報に基づき、例えば、バス停留所「新宿３丁目」を示す情報に基づき、当該バス停留所「新宿３丁目」で路線バスＢを停車させるべき旨を表示部ＤＰに表示させることにより、路線バスＢの運転手に通知する。
【００２１】
表示部ＤＰは、例えば、液晶パネル又は有機ＥＬパネルからなり、上記したように、路線バスＢを停車させるべきバス停留所を表示するために用いられる。
【００２２】
〈動作〉
図３は、実施例のバス停車システムの動作を示すフローチャートである。以下、実施例のバス停車システムの動作を図３のフローチャートに沿って説明する。以下では、説明及び理解を容易にすべく、図３に示されるように、「Ｙ１年Ｍ１月Ｄ１日」にバス停留所「新宿３丁目」で降車したこと、．．．、「Ｙ６年Ｍ６月Ｄ６日」にバス停留所「信濃町駅」で降車したことの降車履歴を有する、路線バスＢのバス利用者が、「Ｙ７年Ｍ７月Ｄ７日」にバス停留所「新宿駅」で乗車することを想定する。
【００２３】
ステップＳ１０：バス利用者は、「Ｙ７年Ｍ７月Ｄ７日」にバス停留所「新宿駅」で路線バスＢに乗車する。
【００２４】
ステップＳ１１：乗降車管理装置Ｍの不揮発性メモリリーダ／ライタＦＲＷは、バス利用者が路線バスＢに乗車するとき、当該バス利用者が携帯するカードＣＤの不揮発性メモリＦから、「Ｙ７年Ｍ７月Ｄ７日」以前の降車履歴、即ち、「Ｙ１年Ｍ１月Ｄ１日」、．．．、「Ｙ６年Ｍ６月Ｄ６日」に降車したバス停留所「新宿３丁目」、．．．、「信濃町駅」を表す降車バス停留所情報を読み出す。
【００２５】
不揮発性メモリリーダ／ライタＦＲＷは、また、図２に示されるように、年月日「Ｙ７年Ｍ７月Ｄ７日」及び乗車したバス停留所「新宿駅」を示す情報をカードＣＤの不揮発性メモリＦに書き込む。
【００２６】
ステップＳ１２：乗降車管理装置Ｍの制御部ＣＮＴは、前記読み出された、過去に降車したバス停留所「新宿３丁目」、．．．、「信濃町駅」を示す降車バス停留所情報に基づき、バス利用者が、今回、降車する可能性が大きいと予想されるバス停留所を判断する。制御部ＣＮＴは、より具体的には、過去６回の降車のうち、バス停留所「新宿３丁目」で最も多く（４回）降車していることから、今回も、バス停留所「新宿３丁目」で降車する可能性が最も高いと推定する。
【００２７】
ステップＳ１３：乗降車管理装置Ｍの通信部ＣＯＭは、前記バス利用者が降車する可能性が最も高いバス停留所「新宿３丁目」を示す情報を、停車制御装置Ｃの通信部ＣＭへ送信し、即ち、通知する。
【００２８】
ステップＳ１４：停車制御装置Ｃの制御部ＣＴは、バス停留所「新宿３丁目」で前記バス利用者が降車する可能性が最も高い旨を表示部ＤＰに表示させる。これにより、当該旨を路線バスＢの運転手に知らせる。
【００２９】
ステップＳ１５：路線バスＢがバス停留所「新宿３丁目」に到達すると、路線バスＢの運転手は、前記表示部ＤＰによる前記表示の内容に従って路線バスＢを停車させる。
【００３０】
ステップＳ１６：バス利用者がバス停留所「新宿３丁目」で降車するとき、乗降車管理装置Ｍの不揮発性メモリリーダ／ライタＦＲＷは、前記カードＣＤの不揮発性メモリＦに、降車したバス停留所が「新宿３丁目」である旨を書き込むことにより、乗降車履歴データＤＴを更新する。
【００３１】
〈効果〉
上述したように、実施例のバス停車システムでは、制御部ＣＮＴが、カードＣＤの不揮発性メモリＦから読み出した、バス利用者が過去に降車したバス停留所を示す降車バス停留所情報に基づき、バス停留所「新宿３丁目」で前記バス利用者が降車する可能性が最も高い旨を路線バスＢの運転手に通知することから、バス利用者が定期券を購入している者であるか否かに拘わらず、前記路線バスＢを停車させるべきバス停留所を的確に表示することが可能となる。
【図面の簡単な説明】
【００３２】
【図１】実施例のバス停車システムの構成を示す図。
【図２】実施例の乗降車履歴データを示す図。
【図３】実施例のバス停車システムの動作を示すフローチャート。
【符号の説明】
【００３３】
Ｂ…路線バス、Ｍ…乗降車管理装置、ＣＮＴ…制御部、ＣＯＭ…通信部、ＦＲＷ…不揮発性メモリリーダ／ライタ、Ｃ…停車制御装置、ＣＴ…制御部、ＣＭ…通信部、ＤＰ…表示部、ＣＤ…カード、Ｆ…不揮発性メモリ、ＤＴ…乗降車履歴データ。
【図１】
2009176089.tif 000003
【図２】
2009176089.tif 000004
【図３】
2009176089.tif 000005